(57)【要約】【課題】簡易な構造でケーブルエンドを係止でき、かつケーブルエンド直前のインナーケーブルの弛みを防止することができるウインドレギュレータを提供する。【解決手段】インナーケーブルが挿入されるケーブル挿入孔と、前記インナーケーブルのケーブルエンドが係止されるケーブルエンド係止孔と、前記ケーブル挿入孔と前記ケーブルエンド係止孔との間に設けられた略S字状のケーブル収容部とを備え、前記ケーブル収容部が前記ケーブル挿入孔側の第一湾曲部と前記ケーブルエンド係止孔側の第二湾曲部とを備え、前記第一湾曲部は湾曲外側の外側壁部と湾曲内側の第一内側壁部とを備え、前記第二湾曲部は湾曲内側に第二内側湾曲壁部を備え、前記第二湾曲部において前記第二内側壁部の頂部に、前記底部との間にインナーケーブルが介在可能な様に前記凸部が設けられたキャリアプレートを用いる。【選択図】図１
2011052437.tif 000002
【特許請求の範囲】
【請求項１】
インナーケーブルエンドが係止され、窓ガラスを支持するキャリアプレートであって、
インナーケーブルが挿入されるケーブル挿入孔と、前記インナーケーブルのケーブルエンドが係止されるケーブルエンド係止孔と、前記ケーブル挿入孔と前記ケーブルエンド係止孔との間に設けられた略S字状のケーブル収容部とを備え、
前記ケーブル収容部が前記ケーブル挿入孔側の第一湾曲部と前記ケーブルエンド係止孔側の第二湾曲部とを備え、
前記第一湾曲部は湾曲外側の外側壁部と湾曲内側の第一内側壁部とを備え、前記第二湾曲部は湾曲内側に第二内側湾曲壁部を備え、
前記ケーブル収容部の底部が前記ケーブル挿入孔近傍から前記ケーブルエンド係止孔までにわたって設けられており、
前記第二湾曲部において前記第二内側壁部の頂部に、前記底部との間にインナーケーブルが介在可能な様に前記凸部が設けられた
キャリアプレート。
【請求項２】
前記インナーケーブルが第一インナーケーブルであり、前記ケーブルエンド係止孔が第一ケーブルエンド係止部であり、さらに第二のインナーケーブルのケーブルエンドを収容する第二ケーブルエンド係止孔と前記第二インナーケーブルのケーブルエンド近傍のインナーケーブルを収容するケーブル収容溝とを備え、
前記ケーブル収容溝は、前記第一インナーケーブルの引き方向の軸上に設けられ、前記第一ケーブルエンド係止孔に第一インナーケーブルのケーブルエンドを収容した際に前記ケーブル収容溝の開口部を第一インナーケーブルのケーブルエンドが封止する位置に配された、
請求項１に記載のキャリアプレート。
【請求項３】
前記ケーブル挿入孔の挿入軸上であって、インナーケーブルを前記ケーブルエンド係止孔側から挿入可能なように前記第一湾曲部の外側壁部を切り欠いて設けられた傾斜部を有する請求項１又は請求項２に記載のキャリアプレート
【請求項４】
インナーケーブルの引き方向Ｄの軸上にガラス取り付け孔を有し、前記第二内側壁部の頂部を含む表側面と裏側面とを有し、前記表側面と前記裏側面との幅ｄが、ケーブルエンドの長さ以上である請求項１〜請求項３のいずれかに記載のキャリアプレート
【請求項５】
上下に設けられる方向転換部材と、
それら方向転換部材の間に配索されるインナーケーブルと、
そのインナーケーブルが途中で分離され、その端部が係止されると共にウインドガラスを支持する請求項１〜請求項４のいずれかに記載のキャリアプレートと、
前記インナーケーブルを巻き取りあるいは送り出す駆動装置とからなるウインドレギュレータ。
【発明の詳細な説明】
【技術分野】
【０００１】
本発明は、車両等のウインドガラスを昇降させるために用いられるキャリアプレート及びそれを用いたウインドレギュレータに関する。
【背景技術】
【０００２】
特許文献１には、ワイヤ式ウインドレギュレータのワイヤエンド部材が開示されている。ワイヤエンド部材は、十字状の部材で、その中心部に窓ガラスの下端に固定されたガラスホルダに固定するための固定孔が形成されている。そして、その固定孔を挟んで上下に角柱状のワイヤ保持構造が延びている。そのワイヤ保持構造には固定孔側へ達する貫通孔が形成されており、前記固定孔の周縁の貫通孔に対応する箇所に駆動ワイヤ露見凹部が形成されている。駆動ワイヤはワイヤ保持構造の貫通孔に通され、駆動ワイヤ露見凹部から駆動ワイヤの先端部を露見させる。それにより駆動ワイヤが貫通孔の全長にわたって挿入されていることが確認できる。次いで、ワイヤ保持部を加締めることにより駆動ワイヤの先端部がワイヤエンド部材に固着される。
【先行技術文献】
【特許文献】
【０００３】
【特許文献１】特開２００８−１１１２６８号公報
【発明の概要】
【発明が解決しようとする課題】
【０００４】
しかし、特許文献１のワイヤエンド部材は、加締めにより駆動ワイヤに固定しているが、加締められたワイヤエンド部材の内側への押圧力で駆動ワイヤを把持することにより固定されているために、製造のバラツキ等により加締めが不十分となりやすく、ワイヤが抜ける懸念がある。さらにはワイヤエンド部材の取り付けも煩雑である。また、ケーブルエンドのキャリアプレートへの係止は、ケーブルに弛みが生じると脱落する恐れがあるので、それを回避するために、一般的に、ケーブルの係止機構が複雑となりやすくなる。
【０００５】
つまり、簡易な係止機構でケーブルエンドを係止でき、かつインナーケーブルの弛みによる脱落を防止することができるキャリアプレートおよびウインドレギュレータを提供することが課題となる。
【課題を解決するための手段】
【０００６】
そこで、本発明のキャリアプレートは、インナーケーブルのケーブルエンドが係止され、窓ガラスを支持するキャリアプレートであって、インナーケーブルが挿入されるケーブル挿入孔と、前記インナーケーブルのケーブルエンドが係止されるケーブルエンド係止孔と、前記ケーブル挿入孔と前記ケーブルエンド係止孔との間に設けられた略S字状のケーブル収容部とを備え、前記ケーブル収容部が前記ケーブル挿入孔側の第一湾曲部と前記ケーブルエンド係止孔側の第二湾曲部とを備え、前記第一湾曲部は湾曲外側の外側壁部と湾曲内側の第一内側壁部とを備え、前記第二湾曲部は湾曲内側に第二内側湾曲壁部を備え、前記ケーブル収容部の底部が前記ケーブル挿入孔近傍から前記ケーブルエンド係止孔までにわたって設けられており、前記第二湾曲部において前記底部と前記第二内側壁部の頂部１８に設けられた凸部との間に前記インナーケーブルが介在可能な様に前記凸部が設けられたことを特徴とする。
【０００７】
また、本発明のウインドレギュレータは、上下に設けられる方向転換部材と、それら方向転換部材の間に配索されるインナーケーブルと、そのインナーケーブルが途中で分離され、その端部が固定されると共にウインドガラスを支持する上述に記載のキャリアプレートと、前記インナーケーブルを巻き取りあるいは送り出す駆動装置とからなることを特徴とする。
【発明の効果】
【０００８】
（１）  インナーケーブルが挿入されるケーブル挿入孔と、前記インナーケーブルのケーブルエンドが係止されるケーブルエンド係止孔と、前記ケーブル挿入孔と前記ケーブルエンド係止孔との間に設けられた略S字状のケーブル収容部とを備え、前記ケーブル収容部が前記ケーブル挿入孔側の第一湾曲部と前記ケーブルエンド係止孔側の第二湾曲部とを備え、前記第一湾曲部は湾曲外側の外側壁部と湾曲内側の第一内側壁部とを備え、前記第二湾曲部は湾曲内側に第二内側湾曲部を備え、前記ケーブル収容部の底部が前記ケーブル挿入孔近傍から前記ケーブルエンド係止孔までにわたって設けられており、前記第二湾曲部において前記底部と前記第二内側壁部の頂部に設けられた凸部との間に前記インナーケーブルが介在可能な様に前記凸部が設けられたキャリアプレートを用いることにより、立体として複雑な構造ではなく、簡易な係止機構でケーブルエンドを係止でき、かつインナーケーブルの弛みを防止することができる。
【０００９】
（２）  また、上下に設けられる方向転換部材と、それら方向転換部材の間に配索されるインナーケーブルと、そのインナーケーブルが途中で分離され、その端部が固定されると共にウインドガラスを支持する上述に記載のキャリアプレートと、前記インナーケーブルを巻き取りあるいは送り出す駆動装置とからなることを特徴とするウインドレギュレータを用いることにより、組み付けが簡単であり、インナーケーブルの弛みが防止することができる。
【図面の簡単な説明】
【００１０】
【図１】図１は、本発明のキャリアプレートの一実施態様例の正面図である。
【図２】図２は、図１のキャリアプレートにインナーケーブルを取り付けた状態を示す模式図である。
【図３】図３は、図１のキャリアプレートの斜視図である。
【図４】図４は、図１のキャリアプレートの図面の右側から見た側面図である
【図５】図５は、図１のキャリアプレートの図面上方から見たときの上面図である。
【図６】図６は、図１のキャリアプレートの図面の下側から見たときの底面図である。
【図７】図７は、図１のキャリアプレートを図面の裏から見た背面図である。
【発明を実施するための形態】
【００１１】
図１のキャリアプレート１は、インナーケーブルのケーブルエンドが係止され、窓ガラスを支持するキャリアプレートである。キャリアプレート１は、図２のようにインナーケーブル２が挿入されるケーブル挿入孔３を備えており、図３及び図５に示すように貫通孔として形成されている。ケーブル挿入孔３に挿入されたインナーケーブル２のケーブルエンド４は、図２に示すように、ケーブルエンド係止孔５に挿入されてインナーケーブル２を係止される。このとき、ケーブル挿入孔３に挿入され、ケーブルエンド４がケーブルエンド係止孔５に挿入されて係止されたインナーケーブル２は、ケーブル挿入孔３とケーブルエンド係止孔５との間に設けられた略S字状のケーブル収容部６に収容されて、図２に示すように略Ｓ字状となってキャリアプレート１に配されることとなる。
【００１２】
ケーブル収容部６は、略S字状であるために２つの湾曲部で形成され、ケーブル挿入孔側に第一湾曲部７を有し、ケーブルエンド係止孔側に第二湾曲部８を有している。ケーブル収容部６は、第一湾曲部７及び第二湾曲部８の湾曲の内側には、それぞれ第一内側壁部９及び第二内側壁部１０が形成され、第一湾曲部７の湾曲の外側には外側壁部１１を有しているが、第二湾曲部８では湾曲の外側は開放となっている。また、ケーブル収容部６は、ケーブル挿入孔３の近傍からケーブルエンド係止孔５までにわたって底部１２を有し、略溝状をなっており、さらに第二内側壁部１０の正面側の縁である頂部１８には凸部１３が形成されて、第二湾曲部８の底部１２と凸部１３との間にインナーケーブル２が介在可能なようになっている。
【００１３】
本発明のキャリアプレートは、上述のような構造となっていることから、インナーケーブル２をケーブル挿入孔３に挿入し、挿入されたインナーケーブル２のケーブル挿入孔３からケーブルエンドまでの長さがケーブル収容部６の経路の長さより若干多い状態でインナーケーブル２を略溝状の第一湾曲部に収容し、ケーブルエンド４をケーブルエンド係止孔５に挿入し、インナーケーブル２を引き方向Ｄへ引くことにより、インナーケーブル２が底部１２と凸部１３との間に介在した状態で第二湾曲部８に収容されるので、インナーケーブルの組み付けが容易である。
【００１４】
キャリアプレート１はケーブルエンド係止孔５に挿入されるケーブルエンド４の近傍のインナーケーブル２を底部１２と第二内側壁部１０と囲うように凸部１３が形成されていることから、凸部１３によりインナーケーブル２がケーブルエンド係止孔５からの抜けが防止されている。凸部１３はケーブルエンド係止孔５からケーブルエンド４が抜けることを防止できるものであれば特に限定されるものではなく、柱状や線状の凸部であってもよいが、インナーワイヤ−２に掛かる応力が分散され安定して抜けを防止するために、ケーブルエンド係止孔５の端部から第二湾曲部８の湾曲頂点付近まで延びる平板状の凸部であることが好ましい。
【００１５】
インナーケーブル２をキャリアプレート１に組み付ける方法としては、特に限定されるものではないが、たとえば、所定の長さを有し、先端と基端との２つの端部を有するインナーケーブル２を用意して、前記先端を第一湾曲部側からケーブル挿入孔３に挿通し、鋳込みにより円筒状のケーブルエンド４を前記基端に形成した後に、上述のようにケーブルエンド４をケーブルエンド係止孔５に挿入して、ケーブル収容部６にインナーケーブル２を収容することにより行うことができる。このとき、キャリアプレート１に、傾斜部１７を、ケーブル挿入孔３の開口軸Ｘ上であって、インナーケーブル２をケーブルエンド係止孔側から挿入可能な深さで外側壁部１１を切り欠いて設けることにより、インナーケーブル２を容易にケーブル挿入孔３に挿入することができる。
【００１６】
ケーブルエンド係止部５は、ケーブルエンド４を係止することができれば孔の大きさが特に限定されるものではない。図１の実施態様例においては、ケーブルエンド係止孔５の径がケーブルエンドの円形である横断面の外径と一致しているが、略S字状のケーブル収容部されたインナーケーブルの剛性によりケーブルエンド４がケーブルエンド係止孔５に係止された状態が保持することが可能であれば、ケーブルエンド係止孔５とケーブルエンド４との間に若干の隙間があってもよい。
【００１７】
ケーブルエンド４がケーブルエンド係止孔５に挿入されてキャリアプレート１にインナーケーブル２が組み付けられた状態では、ケーブルエンド近傍のインナーケーブル２が弛むには、図１の手前方向へのインナーケーブル２の揺動が凸部１３に阻害されるために、図１の横方向にインナーケーブル２が弛む以外にない。しかし、ウインドレギュレータに用いられるインナーケーブルは硬鋼線である金属素線を複数本撚り合わせたものなどが用いられるので、インナーケーブルの剛性に従って最小曲率半径が特定されるため、図６に示すようにインナーケーブルが図１の横方向に弛もうとすると、インナーケーブル２の第一湾曲部７の第一内側壁部にインナーケーブル２が接触し、さらにインナーケーブル２が横方向に送り出されて弛もうとしても、最小曲率半径を超えて小さく撓むことができない。そのために、撓んだインナーケーブル２と第一湾曲部７の第一内側壁部との摩擦が大きくなり、インナーケーブル２が弛むことが防止される。
【００１８】
また、図１の実施態様例のキャリアプレートでは、２つのインナーケーブルを組み付けることができる。図１〜図３に示すように、第一インナーケーブルであるインナーケーブル２に加えて、第二インナーケーブル２１のケーブルエンド４１を収容する第二ケーブルエンド係止孔１４と第二インナーケーブル２１のケーブルエンド４１の近傍のインナーケーブルを収容するケーブルエンド収容溝１５を備えている。図１に示すように、ケーブルエンド収容溝１５は、第一のインナーケーブルの引き方向Dの軸上に設けられている。図３、図４、及び図６に示すように、ケーブルエンド収容溝１５はケーブルエンド収容溝の底部１５１と側面部１５２と上部１５３とにより構成され側方に開口した開口部１５５を有する。ケーブルエンド収容溝１５を構成する上部１５３は、第一インナーケーブル２のケーブルエンド４を収容する第一ケーブルエンド係止孔５にケーブルエンド４が挿入された際に、第一ケーブルエンド係止孔５に最も隣接する上部１５３の端部１５４とケーブルエンド４とが第二インナーケーブル２１が挿通可能な間隙を形成しないように、第一ケーブルエンド係止孔５に最も隣接する上部１５３の端部１５４が、上部１５３の端部１５４に最も隣接する第一ケーブルエンド係止孔５の縁４０１に対して、第一ケーブルエンド４の第一ケーブルエンド係止孔５への挿入軸方向に略一致する上方に位置するように設けられている。このため、上部１５３が第一ケーブルエンド係止孔５収容された第一ケーブルエンド４とが、第二インナーケーブル２１が抜け出ない間隙となるように設けられている。第二インナーケーブル２１は、ケーブルエンド４１が第二ケーブルエンド係止孔１４に収容され、ケーブルエンド４１の近傍が第二インナーケーブル挿入溝１６に挿入された後に、ケーブルエンド４１近傍の第二インナーケーブ２１がケーブルエンド収容溝１５へ移動されて、第一インナーケーブル２のケーブルエンド４をケーブルエンド係止孔に挿入することで、ケーブルエンド収容溝１５へ封止されることとなる。
【００１９】
このように、図１のキャリアプレート１は、第一ケーブルエンド4を第一ケーブルエンド係止孔５へ挿入するだけで、ケーブルエンド収容溝１５の開口が閉じ、第二インナーケーブ２１がケーブルエンド収容溝１５へ封止されるので、２つのインナーケーブルを、前述の略Ｓ字状のケーブル収容部を備えたインナーケーブルエンドの係止機構を２つ配設することに比べ、キャリアプレート１に第二インナーケーブ２１を係止するために機構を特別に設けることなく、簡単に第二インナーケーブ２１を係止することができる。なお、ケーブルエンド収容溝１５の開口部１５５は、第一ケーブルエンド4を封止できるように、第一ケーブルエンド4を第一ケーブルエンド係止孔５へ挿入した際に第一ケーブルエンド4によって、少なくとも一部が閉じられればよい。また、第二インナーケーブル２１が第二ケーブルエンド係止孔１４との境界のケーブル収容溝１５の端部１５６に当接し、端部１５６を支点として第二インナーケーブル２１に力を加えてケーブルエンド収容溝１５に収容する場合には、第二インナーケーブル２１の反発力により、第二インナーケーブル２１が第一ケーブルエンド４を押圧するので、第一ケーブルエンド４が第一ケーブルエンド係止孔５から抜けにくくなり、第一インナーケーブル２の抜けがさらに防止される。
【００２０】
また、インナーケーブルの引き方向Dの軸上にガラス取り付け孔３１を有し、第二内側壁部１１の頂部１８を含む表面とその裏面とを有し、前記表面と前記裏面との幅ｄが、円筒状のケーブルエンドの長さ以上であることにより、キャリアプレート１の幅方向に凸となる部材が無いことから、双方同様な平滑面を有するのでウインドガラスの取り付けは、図１及び図７のように表面と裏面との選択をする必要がない。そのため、キャリアプレート１を用いることにより、ウインドガラスの取り付け作業を容易に行うことができる。
【００２１】
なお、このようなキャリアプレート１は、亜鉛合金などの金属あるいは合成樹脂で一体成形されるのがよい。また、使用される材料はポリブチレンテレフタレート（ＰＢＴ）またはポリエチレンテレフタレート（ＰＥＴ）が好ましく、特にポリオキシメチレン（ＰＯＭ）のような耐磨耗性の高い材料が好ましい。
【００２２】
また、本実施形態ではガイドレールを備えていないタイプのウインドレギュレータとして、上下に設けられる方向転換部材と、それら方向転換部材の間に配索されるインナーケーブルと、そのインナーケーブルが途中で分離され、その端部が係止されると共にウインドガラスを支持する上述のキャリアプレートと、前記インナーケーブルを巻き取りあるいは送り出す駆動装置とからなるウインドレギュレータとして、公知のウインドレギュレータに好適に用いることができるが、ガイドレールを備えたものにも本発明のキャリアプレートを用いることによっても組み付けが容易なウインドレギュレータとして用いることもできる。
【符号の説明】
【００２３】
１          キャリアプレート
２          インナーケーブル
３          ケーブル挿入孔
４          ケーブルエンド
５          ケーブルエンド係止孔
６          ケーブル収容部
７          第一湾曲部
８          第二湾曲部
９          第一内側壁部
１０        第二内側壁部
１１        外側壁部
１２        第二湾曲部の底部
１３        第二湾曲部の凸部
１４        第二ケーブルエンド係止孔
１５        ケーブルエンド収容溝
１６        第二インナーケーブル挿入溝
１７        傾斜部
１８        第二内側壁部の頂部
１５１      ケーブルエンド収容溝の底部
１５２      ケーブルエンド収容溝の側面部
１５３      ケーブルエンド収容溝の上部
１５４      上部の端部
２１        第二インナーケーブル
３１        ガラス取り付け孔
４１        第二インナーケーブルのケーブルエンド
【図１】
2011052437.tif 000003
【図２】
2011052437.tif 000004
【図３】
2011052437.tif 000005
【図４】
2011052437.tif 000006
【図５】
2011052437.tif 000007
【図６】
2011052437.tif 000008
【図７】
2011052437.tif 000009